(57)【要約】      （修正有）【課題】毛染めの際に額等にカラーが付着するのを防止するためのヘアカラー付着防止テープに関し、使い勝手の良いヘアカラー付着防止テープを提供する。【解決手段】毛染めを行う前に額と頬が出るように髪を上げ、離型シート２０の一部を切れ目２１で切り取り、額用シート１及び頬用シート２から剥す。剥した額用シート１を額の毛の生え際に沿って貼り付ける。上辺は緩やかな弧形状となっているため、生え際に沿ってきれいに貼り付けることができる。また、頬用シート２を外側辺が耳側になるように貼り付ける。外側辺は、所定湾曲率を有する円弧形状であるため、外側辺が揉み上げの生え際に沿うように貼り付けることができる。額用シート１及び頬用シート２を貼り付けた後、毛染めを行う。この状態で毛染めを行うと毛染め液が垂れてきても当該額用シート１及び頬用シート２により吸収されるので、皮膚に直接付着することがない。【選択図】図２
0003194448.tif 000002
【実用新案登録請求の範囲】
【請求項１】
全体が長細形状であって且つ額の髪の生え際に沿った湾曲形状の上辺を有し、
離型シートに低粘着性の接着剤を介して剥すことが可能な状態で保持されたことを特徴とするヘアカラー付着防止テープ。
【請求項２】
三日月状または半円状で上側辺が湾曲形状となり、
離型シートに低粘着性の接着剤を介して剥すことが可能な状態で保持されたことを特徴とするヘアカラー付着防止テープ。
【請求項３】
全体が長細形状であって且つ額の髪の生え際に沿った湾曲形状の上辺を有し、離型シートに低粘着性の接着剤を介して剥すことが可能な状態で保持された額用シートと、
三日月状または半円状で上側辺が湾曲形状となり、前記離型シートに低粘着性の接着剤を介して剥すことが可能な状態で保持された頬用シートと、からなり、
前記離型シートは、額用シート及び／又は頬用シートの一部にかかる切れ目を有することを特徴とするヘアカラー付着防止テープ。
【考案の詳細な説明】
【技術分野】
【０００１】
本考案は、毛染めの際に額等にカラーが付着するのを防止するためのヘアカラー付着防止テープに関するものである。
【背景技術】
【０００２】
従来から特許文献１に記載されているような毛染め用マスキング粘着テープが知られている。この毛染め用マスキング粘着テープは、紙基材や不織布などの可撓性を有する支持基材の片面に粘着剤層を設けたロール状の粘着テープである。粘着剤層には有機液状成分が含有される。この毛染め用マスキング粘着テープを毛髪の生え際から額の大きさ、長さに応じて必要分の粘着テープを切り取り、貼付する。そして、所望の染毛剤により、毛髪を染色する。このときに染毛剤が生え際付近に付着したとしても、本発明の粘着テープにて皮膚面をマスキングしているので、毛染め操作終了後に粘着テープを剥離すればよく、全く皮膚面の汚染は生じない。
【先行技術文献】
【特許文献】
【０００３】
【特許文献１】特開２００２−２３５０５６号公報
【考案の概要】
【考案が解決しようとする課題】
【０００４】
しかしながら、上記従来の毛染め用マスキング粘着テープは、テープ状になっているため、毛染めのたびに適切な大きさに切断して用いなければならず、手間がかかり不便であった。本考案は、係る問題点を解決するためになされたものである。
【課題を解決するための手段】
【０００５】
本考案は、全体が長細形状であって且つ額の髪の生え際に沿った湾曲形状の上辺を有し、
離型シートに低粘着性の接着剤を介して剥すことが可能な状態で保持されたことを特徴とするヘアカラー付着防止テープである。
【０００６】
また、本考案は、三日月状または半円状で上側辺が湾曲形状となり、離型シートに低粘着性の接着剤を介して剥すことが可能な状態で保持されたことを特徴とするヘアカラー付着防止テープである。
【０００７】
また、本考案は、全体が長細形状であって且つ額の髪の生え際に沿った湾曲形状の上辺を有し、離型シートに低粘着性の接着剤を介して剥すことが可能な状態で保持された額用シートと、三日月状または半円状で上側辺が湾曲形状となり、前記離型シートに低粘着性の接着剤を介して剥すことが可能な状態で保持された頬用シートと、からなり、前記離型シートは、額用シート及び／又は頬用シートの一部にかかる切れ目を有することを特徴とするヘアカラー付着防止テープである。
【図面の簡単な説明】
【０００８】
【図１】本考案の実施の形態に係るヘアカラー付着防止テープを示す平面図である。
【図２】ヘアカラー付着防止テープの使用方法を示す説明図である。
【図３】ヘアカラー付着防止テープの使用方法を示す説明図である。
【考案を実施するための形態】
【０００９】
図１は、本考案の実施の形態に係るヘアカラー付着防止テープを示す平面図である。このヘアカラー付着防止テープ１００は、離型シート２０の上に予め所定形状に切り出された額用シート１と、同様に離型シート２０の上に予め所定形状に切り出された頬用シート２と、から構成される。額用シート１及び頬用シート２は、上記特許文献１に開示の素材から構成される。
【００１０】
額用シート１は、上側に弧形状を形成した上辺１ａと、上辺１ａの両側から下方に緩やかに曲がって傾斜した側辺１ｂと、上側に弧形状を形成した下辺１ｃとからなる。上辺１ａの弧の湾曲程度は、額の毛の生え際の平均的な形状に沿って設定される。具体的には、図１の例では、弧の半径Ｒ１が１８ｃｍ〜２５ｃｍである。更に、下辺１ｃの弧の半径Ｒ２も同様に１８ｃｍ〜２５ｃｍとするのが好ましい。また、半径Ｒは長さ（額に貼付時の水平方向の長さ）方向で一定でなくても良い。
【００１１】
額用シート１の長さ（額に貼付時の水平方向の長さ）Ｌ１は、例えば１２ｃｍ以上１８ｃｍ以下であり、幅（額に貼付時の略垂直方向の長さ）Ｗ１は、４ｃｍ以上６ｃｍである。
【００１２】
側辺１ｂは斜め下方に傾斜しており、女性の生え際の両側付近が比較的緩やかなカーブで下方に形成されていることから、これに合わせるような形状となっている。
【００１３】
次に、前記頬用シート２は、離型シート２０上での上下方向において外側辺（上側の辺）２ａが所定の半径Ｒ３を有する円弧形状であり、内側辺２ｂが略直線又は緩やかな弧形状となる。換言すれば、当該頬用シート２は全体的に三日月状又は半円状となる。前記外側辺の半径Ｒ３は、３ｃｍ〜６ｃｍとするのが好ましい。また、内側辺２ｂが円弧形状の場合、その半径Ｒ４は１０ｃｍ〜１５ｃｍとするのが好ましい。
【００１４】
前記離型シート２０は、ＰＥＴ，ＰＰ，ＰＥ等で構成した又はこれらを表面にコーティングしたものであり、前記額用シート１及び頬用シート２に対して軽剥離または中剥離の低粘着性の接着剤を介して着脱自在に付着保持するものを用いる。この離型シート２０は、矩形であり上半分に額用シート１を貼り付け、下半分に２枚の頬用シート２を並べて貼り付けてある。離型シート２０は、左右端縁から幅方向１／４程度の位置に高さ方向に切れ目２１，２２が形成されている。この切れ目２１，２２などは、額用シート１及び頬用シート２の一部にかかるように設けられる。このため、幅方向１／４程度の部分を切れ目２１，２２などに沿って剥すと、額用シート１及び頬用シート２を残りの離型シート２０から剥しやすくなる。
【００１５】
図２及び図３は、このヘアカラー付着防止テープの使用方法を示す説明図である。毛染めを行う前に額と頬が出るように髪を上げ、離型シート２０の一部（前記幅方向１／４）を切れ目２１で切り取り（図２（ａ）参照）、額用シート１及び頬用シート２から剥す（図２（ｂ）参照）。剥した額用シート１を額Ｈ１の毛の生え際ＨＬに沿って貼り付ける（図３参照）。この際、額用シート１の上辺１ａが生え際ＨＬに沿って位置するようにする。上辺１ａは、緩やかな弧形状となっているため、生え際ＨＬに沿ってきれいに貼り付けることができる。
【００１６】
また、頬用シート２を外側辺２ａが耳側になるように貼り付ける（図３参照）。外側辺２ａは、所定湾曲率を有する円弧形状であるため、外側辺２ａが揉み上げの生え際に沿うように貼り付けることができる。また、内側辺２ｂは頬骨を回避するように貼り付けられ、無駄な部分を保護することがない。片方の頬Ｈ２に頬用シート２を貼り付けたら、離型シート２０のもう片方の一部（前記幅方向１／４）を切れ目２２で切り取り（図２（ｃ）参照）、頬用シート２を剥す。そして、当該頬用シート２をもう片方の頬Ｈ２に貼り付ける（図３参照）。
【００１７】
そして、額用シート１及び頬用シート２を貼り付けた後、毛染めを行う。この状態で毛染めを行うと、毛染め液が垂れてきても当該額用シート１及び頬用シート２により吸収されるので、皮膚に直接付着することがない。
【００１８】
また、毛染めが終了したら、額用シート１及び頬用シート２を額Ｈ１及び頬Ｈ２から剥すだけで良い。このため、毛染め作業が簡単であり、特に美容室等では毛染めの効率が極めて高くなる。また、一般家庭で使用する際にも簡単に保護ができるので、毛染め作業の億劫うさをなくすことができる。
【００１９】
以上の考案によれば、離型シート２０から額用シート１及び頬用シート２を剥して額Ｈ１及び頬Ｈ２の生え際に沿って貼り付けるだけであるから、毛染めのたびにマスキングテープを切断する必要がない。
【符号の説明】
【００２０】
１００  ヘアカラー付着防止テープ
１  額用シート
２  頬用シート
１ａ  上辺
１ｂ  側辺
１ｃ  下辺
２０  離型シート
２ａ  外側辺
２ｂ  内側辺
【図１】
0003194448.tif 000003
【図２】
0003194448.tif 000004
【図３】
0003194448.tif 000005